(57)【要約】      （修正有）【課題】プロセッサの動作に伴う発熱を抑制することにより、プロセッサの熱劣化を防ぎ、プロセッサの部品としての製品寿命を延ばすことができる技術を提供する。【解決手段】プロセッサ（ＣＰＵ）とプロセッサ制御装置１５を備える監視カメラ２において、プロセッサ制御装置１５は、参照情報を取得する取得部１８と、プロセッサを録画処理以外の処理を実行させない第１の処理モードおよび録画処理以外の処理を実行させる第２の処理モードの何れのモードで動作させるのかを、上記参照情報を参照して決定する決定部１９と、を備える。【選択図】図１
2018085648.tif 000002
【特許請求の範囲】
【請求項１】
プロセッサを制御するプロセッサ制御装置であって、
上記プロセッサの周囲の環境を示す参照情報を取得する取得部と、
上記プロセッサを、
上記プロセッサに特定の処理を実行させ、当該特定の処理以外の処理を実行させない第１の処理モード、および、
上記プロセッサに特定の処理と当該特定の処理以外の処理とを実行させる第２の処理モード
の何れのモードで動作させるのかを、上記参照情報を参照して決定する処理モード決定部と、を備えていることを特徴とする、プロセッサ制御装置。
【請求項２】
上記特定の処理は、録画処理であり、
上記特定の処理以外の処理には、画像解析処理、顔認識照合処理および画像切り出し処理の少なくとも何れかが含まれていることを特徴とする、請求項１に記載のプロセッサ制御装置。
【請求項３】
上記取得部が取得する参照情報には、現在時刻、環境音および明るさの少なくとも何れかを示す情報が含まれていることを特徴とする、請求項１または２に記載のプロセッサ制御装置。
【請求項４】
上記取得部が取得する参照情報には、現在時刻を示す情報が含まれており、
上記処理モード決定部は、
上記現在時刻が第１の時刻を経過した場合、上記プロセッサを上記第２の処理モードで動作させることを決定し、
上記現在時刻が第２の時刻を経過した場合、上記プロセッサを上記第１の処理モードで動作させることを決定することを特徴とする、請求項３に記載のプロセッサ制御装置。
【請求項５】
上記取得部が取得する参照情報には、環境音の音量を示す情報が含まれており、
上記処理モード決定部は、
上記環境音の音量が所定の閾値よりも大きい場合、上記プロセッサを上記第２の処理モードで動作させることを決定し、
上記環境音の音量が所定の閾値以下である場合、上記プロセッサを上記第１の処理モードで動作させることを決定することを特徴とする、請求項３に記載のプロセッサ制御装置。
【請求項６】
上記取得部が取得する参照情報には、明るさを示す情報が含まれており、
上記処理モード決定部は、
上記明るさが所定の閾値未満である場合に、上記プロセッサを上記第２の処理モードで動作させることを決定し、
上記明るさが所定の閾値以上である場合、上記プロセッサを上記第１の処理モードで動作させることを決定することを特徴とする、請求項３に記載のプロセッサ制御装置。
【請求項７】
上記プロセッサ制御装置は、複数のプロセッサを制御対象としており、
上記複数のプロセッサのうちで、上記第１の処理モードおよび上記第２の処理モードを実行するプロセッサを切り替える切替部をさらに備えていることを特徴とする、請求項１〜６の何れか１項に記載のプロセッサ制御装置。
【請求項８】
請求項１〜７の何れか１項に記載のプロセッサ制御装置と、
少なくとも１つの上記プロセッサと、を備えていることを特徴とする、監視カメラ。
【請求項９】
少なくとも１つの上記プロセッサは、複数のプロセッサであり、
上記複数のプロセッサは、互いに所定の距離以上離れていることを特徴とする、請求項８に記載の監視カメラ。
【請求項１０】
少なくとも１つの上記プロセッサは、複数のプロセッサであり、
上記複数のプロセッサが設置されている基板をさらに備え、
上記複数のプロセッサは、第１の群および第２の群からなる２つの群から構成されており、
上記第１の群は、上記第２の群が設置されている上記基板の面とは反対の面上に設置されていることを特徴とする、請求項８または９に記載の監視カメラ。
【請求項１１】
プロセッサを制御するプロセッサ制御装置によるプロセッサ制御方法であって、
上記プロセッサの周囲の環境を示す参照情報を取得する取得工程と、
上記プロセッサを、
上記プロセッサに特定の処理を実行させ、当該特定の処理以外の処理を実行させない第１の処理モード、および、
上記プロセッサに特定の処理と当該特定の処理以外の処理とを実行させる第２の処理モード
の何れのモードで動作させるのかを、上記参照情報を参照して決定する処理モード決定工程と、を含むことを特徴とする、プロセッサ制御方法。
【請求項１２】
請求項１に記載のプロセッサ制御装置としてコンピュータを機能させるための制御プログラムであって、上記取得部および上記処理モード決定部としてコンピュータを機能させるための制御プログラム。
【請求項１３】
請求項１２に記載の制御プログラムを記録したコンピュータ読み取り可能な記録媒体。
【発明の詳細な説明】
【技術分野】
【０００１】
本発明の一実施形態は、プロセッサを制御するプロセッサ制御装置等に関する。
【背景技術】
【０００２】
例えば、監視カメラにおいて、使用温度範囲の上限に相当する外気温環境下で録画処理（４Ｋ３Ｋエンコード処理等）および画像解析処理を実行すると、これらの処理を実行するＣＰＵのチップ内部温度（以下、ＣＰＵ温度）が、許容される温度の上限値に達してしまう。そこで、許容される範囲までＣＰＵ温度を下げるために、ＣＰＵパフォーマンス制限を適用することで、ＣＰＵにクロック周波数制限をかけ、クロック周波数を強制的に下げる方法がある。
【０００３】
しかし、当該方法において、ＣＰＵクロック周波数が下がった状態では、録画処理および画像解析処理の両方を実行するためのＣＰＵパフォーマンス（処理能力）が確保できない。そのため、監視カメラとして要求される動作（録画処理および画像解析処理）を常時実行するためには、発熱対策として、ＣＰＵパフォーマンス制限（発熱を抑える機能）を適用することができない。
【０００４】
上記のＣＰＵパフォーマンス制限に代わる対策として一般的に適用できる従来技術を以下に示す。例えば、特許文献１では、複数のＣＰＵを備えている印刷装置において、ＣＰＵの温度上昇を抑制する方法が開示されている。当該印刷装置は、第２の制御モードにおいて、ＣＰＵ温度が上限値を超える前に、動作させるＣＰＵを切り替える。そうすることで、ＣＰＵに休止期間をもうけ、結果としてＣＰＵ温度が上限値を超えることはなく、必要なＣＰＵパフォーマンスを確保することができる。
【０００５】
また、特許文献２では、一定周期で取得した画像に対して動き量を検出するか、または外部のセンサで監視エリアの動きを検出し、規定量に対する動き量に基づいて、ＣＰＵまたはその他のＬＳＩの動作周波数を変更する撮像装置が開示されている。当該撮像装置は、動き量が規定量を満たさなくなってから所定時間経過後に、ＣＰＵまたはその他のＬＳＩの動作周波数を降下させる。
【先行技術文献】
【特許文献】
【０００６】
【特許文献１】特開２０１３−８６４０４号公報（２０１３年５月１３日公開）
【特許文献２】特開２００７−３１８２６２号公報（２００７年１２月６日公開）
【発明の概要】
【発明が解決しようとする課題】
【０００７】
特許文献１に記載の技術において、ＣＰＵ温度の上限値を低く設定することで、高温状態での動作時間を削減することはできる。しかし、ＣＰＵ温度の上限値を低く設定すると、ＣＰＵの切り替え頻度が増える。監視カメラでは、録画処理が途切れることは許容されないので、ＣＰＵ切り替え動作の信頼性を確保するため、ＣＰＵ切り替え時に２つのＣＰＵの両方を動作させて、一方のＣＰＵから他方のＣＰＵへ処理を引き継ぐ必要がある。ＣＰＵの切り替え頻度が増えると、２つのＣＰＵを動作させる期間も増える。２つのＣＰＵを動作させる期間における電力消費は、通常動作時の２倍である。結果として、切り替え頻度の増加による消費電力の増加という問題がある。
【０００８】
また、特許文献２に記載の技術では、常に何らかの動きがある環境では、ＣＰＵは、動き量を検出した動作が常に実行されるため、ＣＰＵの高温状態での動作時間を削減することができない。これは、ＣＰＵに限られず、プロセッサ全般に生じる問題点である。
【０００９】
本発明の一態様は、上記の問題点に鑑みてなされたものであり、その主たる目的は、プロセッサの動作に伴う発熱を抑制することにより、プロセッサの熱劣化を防ぎ、プロセッサの部品としての製品寿命を延ばすことができる技術を提供することにある。
【課題を解決するための手段】
【００１０】
上記の課題を解決するために、本発明の一態様に係るプロセッサ制御装置は、プロセッサを制御するプロセッサ制御装置であって、上記プロセッサの周囲の環境を示す参照情報を取得する取得部と、上記プロセッサを、上記プロセッサに特定の処理を実行させ、当該特定の処理以外の処理を実行させない第１の処理モード、および、上記プロセッサに特定の処理と当該特定の処理以外の処理とを実行させる第２の処理モードの何れのモードで動作させるのかを、上記参照情報を参照して決定する処理モード決定部と、を備えている。
【００１１】
上記の課題を解決するために、本発明の一態様に係るプロセッサ制御方法は、プロセッサ制御装置によるプロセッサ制御方法であって、上記プロセッサの周囲の環境を示す参照情報を取得する取得工程と、上記プロセッサを、上記プロセッサに特定の処理を実行させ、当該特定の処理以外の処理を実行させない第１の処理モード、および、上記プロセッサに特定の処理と当該特定の処理以外の処理とを実行させる第２の処理モードの何れのモードで動作させるのかを、上記参照情報を参照して決定する処理モード決定工程と、を含む。
【発明の効果】
【００１２】
本発明の一態様によれば、プロセッサの動作に伴う発熱を抑制することにより、プロセッサの熱劣化を防ぎ、プロセッサの部品としての製品寿命を延ばすことができる。
【図面の簡単な説明】
【００１３】
【図１】本発明の実施形態１に係るプロセッサ制御装置を含む監視カメラシステムの構成を示すブロック図である。
【図２】本発明の実施形態１に係る監視カメラが備えている第１ＣＰＵおよび第２ＣＰＵの配置例を示す図である。
【図３】本発明の実施形態１に係るプロセッサ制御装置が実行するプロセッサ制御方法を説明するフローチャートである。
【図４】本発明の実施形態１に係るプロセッサ制御装置が実行するプロセッサ制御方法を説明するための図である。
【図５】本発明の実施形態２に係るプロセッサ制御装置を含む監視カメラシステムの構成を示すブロック図である。
【図６】本発明の実施形態２に係るプロセッサ制御装置が実行するプロセッサ制御方法を説明するフローチャートである。
【図７】本発明の実施形態３に係るプロセッサ制御装置を含む監視カメラシステムの構成を示すブロック図である。
【図８】本発明の実施形態３に係るプロセッサ制御装置が実行するプロセッサ制御方法を説明するフローチャートである。
【図９】本発明の変形例に係る監視カメラを含む監視カメラシステムの構成を示すブロック図である。
【発明を実施するための形態】
【００１４】
〔実施形態１〕
以下、本発明の実施の形態について、図面を参照して詳細に説明する。なお、以下の実施形態では、本発明の一実施形態に係るプロセッサ制御装置を、監視カメラに適用した例について説明しているが、本発明の一実施形態に係るプロセッサ制御装置は、プロセッサを備えている他の電子機器にも適用し得る。また、以下の実施形態では、本発明の一実施形態に係るプロセッサ制御装置が制御するプロセッサが２つのＣＰＵである例について説明しているが、本発明の一実施形態に係るプロセッサ制御装置が制御するプロセッサは、ＣＰＵ以外のプロセッサであってもよい。また、本発明の一実施形態に係るプロセッサ制御装置は、１つまたは３つ以上のプロセッサを制御してもよい。
【００１５】
また、本実施形態では、本発明の一実施形態に係るプロセッサ制御方法を、プロセッサ制御装置自体が実行しているが、制御する対象であるプロセッサ自体（本実施形態では、第１ＣＰＵ７および第２ＣＰＵ８）が行ってもよい。
【００１６】
（監視カメラシステム１）
本実施形態に係る監視カメラシステム１について、図面を参照して説明する。図１は、監視カメラシステム１の構成を示すブロック図である。図１が示すように、監視カメラシステム１は、監視カメラ２、無線ＬＡＮアクセスポイント３、サーバー４、および画像記録装置５を備えている。
【００１７】
監視カメラ２は、自装置の周囲を撮影し、撮影した画像（静止画像および動画像を含む）を、無線ＬＡＮを介して無線ＬＡＮアクセスポイント３に送信する。無線ＬＡＮアクセスポイント３は、監視カメラ２から送信された動画を受信し、ＬＡＮを介して、サーバー４および画像記録装置５に送信する。サーバー４は、無線ＬＡＮアクセスポイント３から送信された画像を自装置に記録し、保管する。また、サーバー４は、保管した画像を、自装置以外の装置（図示せず）に、当該装置からの送信要求に応じて送信してもよい。画像記録装置５も同様に、無線ＬＡＮアクセスポイント３から送信された画像を自装置に記録し、保管する。
【００１８】
なお、本実施形態では、監視カメラ２は、撮影した画像を、無線ＬＡＮと無線ＬＡＮアクセスポイント３とを介して、サーバー４および画像記録装置５に送信するが、監視カメラ２が画像を送信する方法は、これに限定されない。例えば、監視カメラ２は、携帯電話回線、有線ＬＡＮまたはインターネットを介して、撮影した画像をサーバー４および画像記録装置５に送信してもよい。
（監視カメラ２）
本実施形態に係る監視カメラ２について、図１を参照して、さらに詳細に説明する。図１が示すように、監視カメラ２は、撮影部６、第１ＣＰＵ７、第２ＣＰＵ８、第１メモリ９、第２メモリ１０、第１電源部１１、第２電源部１２、第１無線部１３、第２無線部１４、およびプロセッサ制御装置１５を備えている。
【００１９】
撮影部６は、監視カメラ２の周囲を撮影し、撮影した画像を、第１ＣＰＵ７および第２ＣＰＵ８の何れか１つの動作しているＣＰＵに送信する。第１ＣＰＵ７および第２ＣＰＵ８は、撮影部６から送信された画像に対して、録画処理、画像解析処理、顔認識照合処理または画像切り出し処理等を実行する。第１メモリ９および第２メモリ１０は、それぞれ、第１ＣＰＵ７および第２ＣＰＵ８が処理を行うための動作メモリである。
【００２０】
第１電源部１１および第２電源部１２は、それぞれ、第１ＣＰＵ７および第２ＣＰＵ８に、動作するための電力を供給する。第１無線部１３および第２無線部１４は、それぞれ、第１ＣＰＵ７および第２ＣＰＵ８が処理した画像データを、無線ＬＡＮを介して無線ＬＡＮアクセスポイント３に送信する。プロセッサ制御装置１５は、第１ＣＰＵ７および第２ＣＰＵ８の動作を制御する。また、プロセッサ制御装置１５は、第１ＣＰＵ７および第２ＣＰＵ８のうちで、動作させるＣＰＵを切り替える。
【００２１】
（第１ＣＰＵ７および第２ＣＰＵ８が実行する各処理の例）
例えば、第１ＣＰＵ７および第２ＣＰＵ８が実行する録画処理の例として、解像度が１２Ｍピクセルであり、画像圧縮方式がＨ．２６４である録画処理が挙げられる。第１ＣＰＵ７および第２ＣＰＵ８がこのような録画処理を実行することにより、高解像度で鮮明な画像の記録を行うことができるが、一方で、ＣＰＵに対する負荷が大きいため、ＣＰＵ温度が高くなりやすい。
【００２２】
また、第１ＣＰＵ７および第２ＣＰＵ８が実行する画像解析処理の例として、人または物の動きを解析することにより、画像データに意味を付加する処理が挙げられる。第１ＣＰＵ７および第２ＣＰＵ８がこのような画像解析処理を実行することにより、人の通過、人の進入、または物の移動等を検出することができる。
【００２３】
また、第１ＣＰＵ７および第２ＣＰＵ８が実行する顔認識照合処理の例として、人の顔を自動的に検出して、サーバー上のデータと照合する処理が挙げられる。第１ＣＰＵ７および第２ＣＰＵ８がこのような顔認識照合処理を実行することにより、不審者を監視することができる。
【００２４】
また、第１ＣＰＵ７および第２ＣＰＵ８が実行する画像切り出し処理の例として、撮影部６が店舗内を撮影した画像において、特定の領域を切り出す処理が挙げられる。第１ＣＰＵ７および第２ＣＰＵ８がこのような画像切り出し処理を実行することにより、店舗の入口を重点的に監視する必要がある場合、撮影部６が店舗内を撮影した画像において、店舗の入口付近の画像を切り出し、切り出した画像を独立した画像データとして送信することができる。
【００２５】
（第１ＣＰＵ７および第２ＣＰＵ８の配置例）
第１ＣＰＵ７および第２ＣＰＵ８の配置例を、図２を参照して説明する。図２の（ａ）および（ｂ）は、それぞれ、第１ＣＰＵ７および第２ＣＰＵ８の配置例を示す。図２の（ａ）および（ｂ）の上段は、各配置例の上面図を示し、下段は、各配置例の側面図を示す。
【００２６】
図２の（ａ）の配置例が示すように、第１ＣＰＵ７および第２ＣＰＵ８は、互いに所定の距離Ｌ以上離れて、基板２１上に設置されている。ここにおける所定の距離Ｌは、第１ＣＰＵから発生する熱が第２ＣＰＵのＣＰＵ温度に影響を与えない、かつ第２ＣＰＵから発生する熱が第１ＣＰＵのＣＰＵ温度に影響を与えない程度の距離である。
【００２７】
以上のようなＣＰＵの配置を採用することにより、複数のＣＰＵを備えている基板上で、各ＣＰＵが発生する熱によって互いに熱を与えることを防ぐことができ、ＣＰＵ温度の上昇を抑制することができる。
【００２８】
また、別の配置例では、図２の（ｂ）の配置例が示すように、第１ＣＰＵ７は、第２ＣＰＵ８が設置されている基板２１の面とは反対の面上に設置されている。また、３つ以上のＣＰＵを備えている構成の場合、３つ以上のＣＰＵを２つの群に分け、第１の群は、第２の群が設置されている基板２１の面とは反対の面上に設置されていてもよい。
【００２９】
以上のようなＣＰＵの配置を採用することにより、第１ＣＰＵ７（または第１の群）と、第２ＣＰＵ８（または第２の群）とは、互いに、基板を介して隔離されているため、各ＣＰＵが発生する熱によって互いに熱を与えてしまうことを防ぐことができ、ＣＰＵ温度の上昇を抑制することができる。
（プロセッサ制御装置１５）
本実施形態に係るプロセッサ制御装置１５について、図１を参照して、さらに詳細に説明する。図１が示すように、プロセッサ制御装置１５は、時刻測定部１６、および制御部１７を備えている。また、制御部１７は、取得部１８、決定部１９、および切替部２０を備えている。
【００３０】
時刻測定部１６は、現在時刻を測定し、制御部１７に送信する。
【００３１】
取得部１８は、時刻測定部１６が測定した現在時刻を、周囲の環境を示す参照情報として取得する。なお、取得部１８が取得する「周囲の環境を示す参照情報」とは、当該情報を参照することにより、監視カメラ２の周囲の環境を推測し得る情報を示す。つまり、参照情報は、監視カメラ２の周囲（監視カメラ２が備える第１ＣＰＵ７および第２ＣＰＵ８の周囲でもある）の環境を示している。従って、この参照情報は、特許文献２に記載されているような、監視カメラ２の被写体の動きを定量的に取得し得る情報ではなく、監視カメラ２の被写体の動きについての情報を含まない。参照情報の例として、現在時刻、環境音、および明るさ等が挙げられる。
【００３２】
決定部１９（特許請求の範囲における処理モード決定部）は、取得部１８が取得した参照情報に応じて、第１の処理モードおよび第２の処理モードの何れのモードで、第１ＣＰＵ７および第２ＣＰＵ８を動作させるのかを決定する。なお、第１の処理モードとは、第１ＣＰＵ７および第２ＣＰＵ８に特定の処理を実行させ、当該特定の処理以外の処理を実行させないモードを示す。また、第２の処理モードとは、第１ＣＰＵ７および第２ＣＰＵ８に特定の処理と当該特定の処理以外の処理とを実行させるモードを示す。また、ここにおける特定の処理は、プロセッサが実行し得る任意の処理であり得るが、本実施形態では、特定の処理は、上述の録画処理であり、特定の処理以外の処理は、上述の画像解析処理、顔認識照合処理および画像切り出し処理を含む。
【００３３】
また、切替部２０は、第１ＣＰＵ７および第２ＣＰＵ８のうちで、動作させるプロセッサを切り替える。なお、切替部２０が動作させるプロセッサを切り替える方法は、従来公知の方法を用いることができる。例えば、切替部２０は、動作中のプロセッサの温度を参照して、当該温度が所定の閾値を超えた場合に、動作させるプロセッサを切り替える。
【００３４】
（プロセッサ制御方法）
本実施形態に係るプロセッサ制御装置１５によるプロセッサ制御方法について、図３を参照して、詳細に説明する。図３は、本実施形態に係るプロセッサ制御装置１５によるプロセッサ制御方法の一例を説明するフローチャート図である。図３に示す各ステップは、プロセッサ制御装置１５を備えている監視カメラ２が起動したことにより開始してもよいし、プロセッサ制御装置１５を単独で起動したことにより開始してもよく、任意のタイミングで開始し得る。また、本実施形態に係るプロセッサ制御方法では、第１ＣＰＵ７および第２ＣＰＵ８の両方が動作している例を示すが、切替部２０は、後述する各ステップまたは各ステップ間において、適宜、第１ＣＰＵ７および第２ＣＰＵ８のうちで、動作させるＣＰＵを切り替えてもよい。
【００３５】
まず、決定部１９は、第１ＣＰＵ７および第２ＣＰＵ８に対して、撮影部６が撮影した画像（静止画像および動画像を含む）の録画処理を開始させる（ステップＳ０）。ここで、第１ＣＰＵ７および第２ＣＰＵ８が録画処理のみを実行するモードを第１の処理モードとする。
【００３６】
次に、時刻測定部１６が現在時刻を測定し、取得部１８は、時刻測定部１６が測定した現在時刻（参照情報）を、時刻測定部１６から取得する（ステップＳ１）。なお、取得部１８は、現在時刻を、時刻測定部１６からではなく、外部から取得してもよい。
【００３７】
次に、決定部１９は、取得部１８が取得した現在時刻が第１の時刻を経過したか否かを判定する（ステップＳ２）。決定部１９が現在時刻は第１の時刻を経過したと判定した場合（ステップＳ２のＹＥＳ）、ステップＳ３の工程に進む。決定部１９が現在時刻は第１の時刻を経過していないと判定した場合（ステップＳ２のＮＯ）、ステップＳ１に戻り、決定部１９が現在時刻は第１の時刻を経過したと判定するまで、ステップＳ１およびステップＳ２を繰り返し実行する。
【００３８】
なお、上記の第１の時刻は、当該時刻を経過した場合、撮影部６が撮影した画像に対して上述の録画処理以外の処理を実行する必要がある被写体（例えば、人物）がより多くなる時刻であることが好ましい。第１の時刻の例として、監視カメラ２が通学路または通勤路に設置された場合における、通学または通勤の時間帯が始まる時刻、および、監視カメラ２が店舗に設置された場合における、店舗の営業時間帯が始まる時刻等が挙げられる。
【００３９】
次に、ステップＳ３において、決定部１９は、第１ＣＰＵ７および第２ＣＰＵ８に対して、録画処理以外の処理を開始させる。これにより、第１ＣＰＵ７および第２ＣＰＵ８は、録画処理と録画処理以外の処理とを実行している状態となる（第２の処理モード）。なお、録画処理以外の処理は、上述の画像解析処理、顔認識照合処理および画像切り出し処理を含む。
【００４０】
次に、時刻測定部１６が現在時刻を測定し、取得部１８は、時刻測定部１６が測定した現在時刻（参照情報）を、時刻測定部１６から取得する（ステップＳ４）。
【００４１】
次に、決定部１９は、取得部１８が取得した現在時刻が第２の時刻を経過したか否かを判定する（ステップＳ５）。決定部１９が現在時刻は第２の時刻を経過したと判定した場合（ステップＳ５のＹＥＳ）、ステップＳ６に進む。決定部１９が現在時刻は第２の時刻を経過していないと判定した場合（ステップＳ５のＮＯ）、ステップＳ４に戻り、決定部１９が現在時刻は第２の時刻を経過したと判定するまで、ステップＳ４およびステップＳ５を繰り返し実行する。
【００４２】
なお、上記の第２の時刻は、当該時刻を経過した場合、撮影部６が撮影した画像に対して上述の録画処理以外の処理を実行する必要がある被写体（例えば、人物）がより少なくなる時刻であることが好ましい。第２の時刻の例として、監視カメラ２が通学路または通勤路に設置された場合における、通学または通勤の時間帯が終わる時刻、および、監視カメラ２が店舗に設置された場合における、店舗の営業時間帯が終わる時刻等が挙げられる。
【００４３】
ステップＳ６において、決定部１９は、第１ＣＰＵ７および第２ＣＰＵ８に対して、録画処理以外の処理を停止させる（つまり、第１の処理モードに切り替わる）。次に、ステップＳ１に戻り、プロセッサ制御装置１５は、ステップＳ１〜Ｓ６の工程を繰り返し実行する。
【００４４】
（プロセッサ制御方法による効果）
図４は、本実施形態に係るプロセッサ制御方法における、第１ＣＰＵ７および第２ＣＰＵの動作と、第１ＣＰＵ７および第２ＣＰＵ８の録画処理および当該録画処理以外の処理による負荷とを示す図である。図４の上段は、第１ＣＰＵ７および第２ＣＰＵ８の動作状況を模式的に示したグラフであり、縦軸は、録画処理または録画処理以外の処理を実行しているか否かを示し、横軸は時間を示す。図４の下段は、第１ＣＰＵ７および第２ＣＰＵ８における負荷の時間経過を示すグラフであり、縦軸は、第１ＣＰＵ７および第２ＣＰＵ８における負荷を示し、横軸は、時間を示す。図４が示すように、第１ＣＰＵ７および第２ＣＰＵ８が録画処理のみを実行している場合のほうが、第１ＣＰＵ７および第２ＣＰＵ８が録画処理および録画処理以外の処理を実行している場合よりも、第１ＣＰＵ７および第２ＣＰＵ８に対する負荷が小さいことが示されている。つまり、第１ＣＰＵ７および第２ＣＰＵ８が録画処理のみを実行している時間ｔの間、第１ＣＰＵ７および第２ＣＰＵ８のＣＰＵ温度の上昇を抑制することができる。
【００４５】
（実施形態１のまとめ）
以上のように、本実施形態に係るプロセッサ制御装置１５は、参照情報として、現在時刻を取得し、現在時刻が第１の時刻を経過した場合、第１ＣＰＵ７および第２ＣＰＵを第２の処理モードで動作させ、現在時刻が第２の時刻を経過した場合、第１ＣＰＵ７および第２ＣＰＵを第１の処理モードで動作させる。そして、第１の時刻および第２の時刻を適宜設定し、特定の処理以外の処理を実行させない第１の処理モードを実行することにより、録画処理以外の処理が不要な時間帯において、第１ＣＰＵ７および第２ＣＰＵに対して録画処理以外の処理を停止させることができる。これにより、プロセッサの動作に伴う発熱によるプロセッサの熱劣化をさらに抑制し、プロセッサの部品としての製品寿命をさらに延ばすことができる。
【００４６】
〔実施形態２〕
本発明の実施形態２ついて、図面に基づいて説明すれば、以下のとおりである。なお、本実施形態に係る監視カメラシステム３０は、プロセッサ制御装置３２が時刻測定部１６の代わりに環境音測定部３３を備えていること以外は、実施形態１に係る監視カメラシステム１と同様の構成を有している。そのため、説明の便宜上、環境音測定部３３を備えているプロセッサ制御装置３２以外の部材と、実施形態１にて説明したプロセッサ制御装置１５が備えている部材と同じ機能を有する部材と、については、同じ符号を付記し、その説明を省略する。
【００４７】
（プロセッサ制御装置３２）
本実施形態に係るプロセッサ制御装置３２について、図５を参照して説明する。図５は、本実施形態に係るプロセッサ制御装置３２を備えている監視カメラ３１を含む監視カメラシステム３０の構成を示すブロック図である。図５が示すように、プロセッサ制御装置３２は、実施形態１に係るプロセッサ制御装置１５の構成に加えて、環境音測定部３３をさらに備えている。
【００４８】
環境音測定部３３は、監視カメラ３１の外部の環境音の音量を測定し、制御部１７に送信する。
【００４９】
（プロセッサ制御方法）
本実施形態に係るプロセッサ制御装置３２によるプロセッサ制御方法について、図６を参照して説明する。図６は、本実施形態に係るプロセッサ制御装置３２によるプロセッサ制御方法の一例を説明するフローチャート図である。なお、実施形態１に係るプロセッサ制御方法と同様の工程については、詳細な説明は省略する。
【００５０】
まず、決定部１９は、第１ＣＰＵ７および第２ＣＰＵ８に対して、撮影部６が撮影した画像（静止画像および動画像を含む）の録画処理を開始させる（ステップＳ１０）。ここで、第１ＣＰＵ７および第２ＣＰＵ８が録画処理のみを実行するモードを第１の処理モードとする。
【００５１】
次に、環境音測定部３３が監視カメラ３１の外部の環境音の音量を測定し、取得部１８は、環境音測定部３３が測定した環境音の音量（参照情報）を、環境音測定部３３から取得する（ステップＳ１１）。なお、取得部１８は、環境音の音量を、環境音測定部３３からではなく、外部から取得してもよい。
【００５２】
次に、決定部１９は、取得部１８が取得した環境音の音量が所定の閾値よりも大きいか否かを判定する（ステップＳ１２）。決定部１９が環境音の音量は所定の閾値よりも大きいと判定した場合（ステップＳ１２のＹＥＳ）、ステップＳ１３の工程に進む。決定部１９が環境音の音量は所定の閾値よりも大きくはないと判定した場合（ステップＳ１２のＮＯ）、ステップＳ１１に戻り、決定部１９が環境音の音量は所定の閾値よりも大きいと判定するまで、ステップＳ１１およびステップＳ１２を繰り返し実行する。
【００５３】
なお、上記の所定の閾値は、撮影部６が撮影した画像に対して上述の録画処理以外の処理を実行する必要がある被写体（例えば、人物）によって生じる環境音の音量未満であり、かつ、当該環境音以外の雑音の音量以上であることが好ましい。所定の閾値の例として、監視カメラ２が山間部の車道に設置された場合における、車両によって生じる環境音の音量未満であり、かつ、当該環境音以外の雑音の音量以上である値が挙げられる。
【００５４】
次に、ステップＳ１３において、決定部１９は、第１ＣＰＵ７および第２ＣＰＵ８に対して、録画処理以外の処理を開始させる。これにより、第１ＣＰＵ７および第２ＣＰＵ８は、録画処理と録画処理以外の処理とを実行している状態となる（第２の処理モード）。
【００５５】
次に、環境音測定部３３が環境音の音量を測定し、取得部１８は、環境音測定部３３が測定した環境音の音量（参照情報）を、環境音測定部３３から取得する（ステップＳ１４）。
【００５６】
次に、決定部１９は、取得部１８が取得した環境音の音量が所定の閾値以下であるか否かを判定する（ステップＳ１５）。決定部１９が環境音の音量は所定の閾値以下であると判定した場合（ステップＳ１５のＹＥＳ）、ステップＳ１６に進む。決定部１９が環境音の音量は所定の閾値以下ではないと判定した場合（ステップＳ１５のＮＯ）、ステップＳ１４に戻り、決定部１９が環境音の音量は所定の閾値以下であると判定するまで、ステップＳ１４およびステップＳ１５を繰り返し実行する。
【００５７】
次に、ステップＳ１６において、決定部１９は、第１ＣＰＵ７および第２ＣＰＵ８に対して、録画処理以外の処理を停止させる（つまり、第１の処理モードに切り替わる）。次に、ステップＳ１に戻り、プロセッサ制御装置３２は、ステップＳ１１〜Ｓ１６の工程を繰り返し実行する。
【００５８】
以上のように、本実施形態に係るプロセッサ制御装置３２は、参照情報として、環境音の音量を取得し、環境音の音量が所定の閾値よりも大きい場合、第１ＣＰＵ７および第２ＣＰＵを第２の処理モードで動作させ、環境音の音量が所定の閾値以下である場合、第１ＣＰＵ７および第２ＣＰＵを第１の処理モードで動作させる。そして、所定の閾値を適宜設定し、特定の処理以外の処理を実行させない第１の処理モードを実行することにより、環境音の音量に応じて、第１ＣＰＵ７および第２ＣＰＵに対して録画処理以外の不要な処理を停止させることができる。
【００５９】
〔実施形態３〕
本発明の実施形態３について、図面に基づいて説明すれば、以下のとおりである。なお、本実施形態に係る監視カメラシステム４０は、プロセッサ制御装置４２が時刻測定部１６の代わりに明るさ測定部４３を備えていること以外は、実施形態１に係る監視カメラシステム１と同様の構成を有している。そのため、説明の便宜上、明るさ測定部４３を備えているプロセッサ制御装置４２以外の部材と、実施形態１にて説明したプロセッサ制御装置１５が備えている部材と同じ機能を有する部材と、については、同じ符号を付記し、その説明を省略する。
【００６０】
（プロセッサ制御装置４２）
本実施形態に係るプロセッサ制御装置４２について、図７を参照して説明する。図７は、本実施形態に係るプロセッサ制御装置４２を備えている監視カメラ４１を含む監視カメラシステム４０の構成を示すブロック図である。図７が示すように、プロセッサ制御装置４２は、実施形態１に係るプロセッサ制御装置１５の構成に加えて、明るさ測定部４３をさらに備えている。
【００６１】
明るさ測定部４３は、監視カメラ４１の外部の明るさを測定し、測定した明るさを示す情報を制御部１７に送信する。
【００６２】
（プロセッサ制御方法）
本実施形態に係るプロセッサ制御装置４２によるプロセッサ制御方法について、図８を参照して説明する。図８は、本実施形態に係るプロセッサ制御装置４２によるプロセッサ制御方法の一例を説明するフローチャート図である。なお、実施形態１に係るプロセッサ制御方法と同様の工程については、詳細な説明は省略する。
【００６３】
まず、決定部１９は、第１ＣＰＵ７および第２ＣＰＵ８に対して、撮影部６が撮影した画像（静止画像および動画像を含む）の録画処理を開始させる（ステップＳ２０）。ここで、第１ＣＰＵ７および第２ＣＰＵ８が録画処理のみを実行するモードを第１の処理モードとする。
【００６４】
次に、明るさ測定部４３が監視カメラ４１の外部の明るさを測定し、取得部１８は、明るさ測定部４３が測定した明るさ（参照情報）を、明るさ測定部４３から取得する（ステップＳ２１）。なお、取得部１８は、明るさを、明るさ測定部４３からではなく、外部から取得してもよい。
【００６５】
次に、決定部１９は、取得部１８が取得した明るさが所定の閾値未満であるか否かを判定する（ステップＳ２２）。決定部１９が明るさは所定の閾値未満であると判定した場合（ステップＳ２２のＹＥＳ）、ステップＳ２３の工程に進む。決定部１９が明るさは所定の閾値未満ではないと判定した場合（ステップＳ２２のＮＯ）、ステップＳ２１に戻り、決定部１９が明るさは所定の閾値未満であると判定するまで、ステップＳ２１およびステップＳ２２を繰り返し実行する。
【００６６】
なお、上記の所定の閾値は、撮影部６が撮影した画像に対して上述の録画処理以外の処理を実行する必要がある被写体（例えば、侵入者または不審者等）が活動する可能性のある時間帯（本実施形態では夜間の時間帯）における明るさより大きく、かつ、当該時間帯以外の時間帯（本実施形態では昼間の時間帯）における明るさ未満であることが好ましい。所定の閾値の例として、店舗に監視カメラ２が設置された場合（侵入者を監視するため）における、照明が消灯した閉店中の店舗内の明るさより大きく、かつ、照明が点灯した開店中の店舗内の明るさ未満である値が挙げられる。
【００６７】
次に、ステップＳ２３において、決定部１９は、第１ＣＰＵ７および第２ＣＰＵ８に対して、録画処理以外の処理を開始させる。これにより、第１ＣＰＵ７および第２ＣＰＵ８は、録画処理と録画処理以外の処理とを実行している状態となる（第２の処理モード）。
【００６８】
次に、明るさ測定部４３が明るさを測定し、取得部１８は、明るさ測定部４３が測定した明るさ（参照情報）を、明るさ測定部４３から取得する（ステップＳ２４）。
【００６９】
次に、決定部１９は、取得部１８が取得した明るさが所定の閾値以上であるか否かを判定する（ステップＳ２５）。決定部１９が明るさは所定の閾値以上であると判定した場合（ステップＳ２５のＹＥＳ）、ステップＳ２６に進む。決定部１９が明るさは所定の閾値以上ではないと判定した場合（ステップＳ２５のＮＯ）、ステップＳ２４に戻り、決定部１９が明るさは所定の閾値以上であると判定するまで、ステップＳ２４およびステップＳ２５を繰り返し実行する。
【００７０】
次に、ステップＳ２６において、決定部１９は、第１ＣＰＵ７および第２ＣＰＵ８に対して、録画処理以外の処理を停止させる（つまり、第１の処理モードに切り替わる）。次に、ステップＳ１に戻り、プロセッサ制御装置４２は、ステップＳ２１〜Ｓ２６の工程を繰り返し実行する。
【００７１】
以上のように、本実施形態に係るプロセッサ制御装置４２は、参照情報として、明るさを取得し、明るさが所定の閾値未満である場合、第１ＣＰＵ７および第２ＣＰＵを第２の処理モードで動作させ、明るさが所定の閾値以上である場合、第１ＣＰＵ７および第２ＣＰＵを第１の処理モードで動作させる。そして、所定の閾値を適宜設定し、特定の処理以外の処理を実行させない第１の処理モードを実行することにより、明るさに応じて、第１ＣＰＵ７および第２ＣＰＵに対して録画処理以外の不要な処理を停止させることができる。
【００７２】
〔変形例〕
本実施形態に係る監視カメラシステム１、３０および４０がそれぞれ含む監視カメラ２、３２および４２が備えているプロセッサは、マルチコアＣＰＵであってもよい。図９は、マルチコアＣＰＵ５２を備えている監視カメラ５１を含む監視カメラシステム５０の構成を示すブロック図である。図９が示すように、監視カメラシステム５０は、実施形態１に係る監視カメラシステム１の構成において、監視カメラ５１が、プロセッサと当該プロセッサに付随する各部材とを含む構成を、２組ではなく、１組だけ備えている構成を有している。具体的には、監視カメラ５１は、プロセッサとしてのマルチコアＣＰＵ５２と、これに付随する無線部５７、電源部５８およびメモリ５９とを備えている。そして、マルチコアＣＰＵ５２は、第１コア５３、第２コア５４、第３コア５５および第４コア５６を備えている。
【００７３】
このように監視カメラを制御するプロセッサとしてマルチコアＣＰＵを備えている構成においても、上述の実施形態１〜３と同様の方法を実施することができる。その場合、プロセッサ制御装置１５、３２および４２は、実施形態１〜３で説明した第１ＣＰＵ７および第２ＣＰＵ８の代わりに、マルチコアＣＰＵ５２が備えている第１コア５３、第２コア５４、第３コア５５および第４コア５６を制御することで、実施形態１〜４に係るプロセッサ制御装置と同様の効果を奏することができる。
【００７４】
〔ソフトウェアによる実現例〕
プロセッサ制御装置１５、３２および４２の制御ブロック（特に、制御部１７の取得部１８、決定部１９および切替部２０）は、集積回路（ＩＣチップ）等に形成された論理回路（ハードウェア）によって実現してもよいし、ＣＰＵ（Central Processing Unit）を用いてソフトウェアによって実現してもよい。
【００７５】
後者の場合、プロセッサ制御装置１５、３２および４２は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００７６】
〔まとめ〕
本発明の態様１に係るプロセッサ制御装置（１５、３２および４２）は、プロセッサを制御するプロセッサ制御装置であって、上記プロセッサの周囲の環境を示す参照情報を取得する取得部（１８）と、上記プロセッサを、上記プロセッサに特定の処理を実行させ、当該特定の処理以外の処理を実行させない第１の処理モード、および、上記プロセッサに特定の処理と当該特定の処理以外の処理とを実行させる第２の処理モードの何れのモードで動作させるのかを、上記参照情報を参照して決定する処理モード決定部（決定部１９）と、を備えている。
【００７７】
上記の構成によれば、取得した参照情報を参照して、特定の処理以外の処理を実行させない第１の処理モードを実行することにより、プロセッサに対して、周囲の環境に応じて、特定の処理以外の不要な処理を停止させることができる。つまり、プロセッサの温度、および周囲の環境における動き、以外の情報によって、プロセッサの動作に伴う発熱を抑制することにより、プロセッサの熱劣化を防ぎ、プロセッサの部品としての製品寿命を延ばすことができる。これに対し、特許文献２の技術では、ＣＰＵの周囲の環境がどのような状況であるかにかかわらず、監視エリア内で動きがある限りＣＰＵの動作周波数が維持されるため、ＣＰＵの寿命が短くなる恐れがある。
【００７８】
本発明の態様２に係るプロセッサ制御装置（１５、３２および４２）は、上記態様１において、上記特定の処理は、録画処理であり、上記特定の処理以外の処理は、画像解析処理、顔認識照合処理および画像切り出し処理の少なくとも何れかが含まれていてもよい。
【００７９】
上記の構成によれば、第１の処理モードを実行することで、録画処理を実行しながら、画像解析処理、顔認識照合処理および画像切り出し処理の少なくとも何れかを停止させることができる。
【００８０】
本発明の態様３に係るプロセッサ制御装置（１５、３２および４２）は、上記態様１または２において、上記取得部が取得する参照情報には、現在時刻、環境音および明るさの少なくとも何れかを示す情報が含まれていてもよい。
【００８１】
上記の構成によれば、現在時刻、環境音または明るさを参照することにより、周囲の環境を推測しやすい。これにより、周囲の環境に応じて、第１の処理モードを実行することができ、特定の処理以外の不要な処理を停止させることができる。
【００８２】
本発明の態様４に係るプロセッサ制御装置（１５）は、上記態様１〜３において、上記取得部が取得する参照情報には、現在時刻を示す情報が含まれており、上記処理モード決定部は、上記現在時刻が第１の時刻を経過した場合、上記プロセッサを上記第２の処理モードで動作させることを決定し、上記現在時刻が第２の時刻を経過した場合、上記プロセッサを上記第１の処理モードで動作させることを決定してもよい。
【００８３】
上記の構成によれば、第１の時刻および第２の時刻を適宜設定し、第１の処理モードを実行することにより、特定の処理以外の処理が不要な時間帯において、プロセッサに対して、特定の処理以外の処理を停止させることができる。
【００８４】
本発明の態様５に係るプロセッサ制御装置（３２）は、上記態様１〜３において、上記取得部が取得する参照情報には、環境音の音量を示す情報が含まれており、上記処理モード決定部は、上記環境音の音量が所定の閾値よりも大きい場合、上記プロセッサを上記第２の処理モードで動作させることを決定し、上記環境音の音量が所定の閾値以下である場合、上記プロセッサを上記第１の処理モードで動作させることを決定してもよい。
【００８５】
上記の構成によれば、所定の閾値を適宜設定し、特定の処理以外の処理を実行させない第１の処理モードを実行することにより、環境音に応じて、プロセッサに対して特定の処理以外の不要な処理を停止させることができる。
【００８６】
本発明の態様６に係るプロセッサ制御装置（４２）は、上記態様１〜３において、上記取得部が取得する参照情報には、明るさを示す情報が含まれており、上記処理モード決定部は、上記明るさが所定の閾値未満である場合に、上記プロセッサを上記第２の処理モードで動作させることを決定し、上記明るさが所定の閾値以上である場合、上記プロセッサを上記第１の処理モードで動作させることを決定してもよい。
【００８７】
上記の構成によれば、所定の閾値を適宜設定し、特定の処理以外の処理を実行させない第１の処理モードを実行することにより、明るさに応じて、プロセッサに対して特定の処理以外の不要な処理を停止させることができる。
【００８８】
本発明の態様７に係るプロセッサ制御装置（１５、３２および４２）は、上記態様１〜６において、上記プロセッサは、複数のプロセッサを制御対象としており、上記複数のプロセッサのうちで、上記第１の処理モードおよび上記第２の処理モードを実行するプロセッサを切り替える切替部をさらに備えていてもよい。
【００８９】
上記の構成によれば、複数のプロセッサのうちで、動作させるプロセッサを適宜切り替えることにより、１つのプロセッサへの処理集中を好適に抑制することができる。
【００９０】
本発明の態様８に係る監視カメラ（２、３１、４１および５１）は、上記態様１〜７の何れかのプロセッサ制御装置と、上記プロセッサと、を備えている。
【００９１】
上記の構成によれば、上記態様１〜７に係るプロセッサ制御装置が奏す上述の効果により、監視カメラのプロセッサの寿命を延ばすことができる。
【００９２】
本発明の態様９に係る監視カメラ（２、３１、４１および５１）は、上記態様８において、少なくとも１つの上記プロセッサは、複数のプロセッサであり、上記複数のプロセッサは、互いに所定の距離以上離れていてもよい。
【００９３】
上記の構成によれば、複数のプロセッサを備えている基板上で、各プロセッサが発生する熱によって互いに熱を与えることを防ぐことができ、プロセッサの温度の上昇を抑制することができる。
【００９４】
本発明の態様１０に係る監視カメラ（２、３１、４１および５１）は、上記態様８または９において、少なくとも１つの上記プロセッサは、複数のプロセッサであり、上記複数のプロセッサが設置されている基板をさらに備え、上記複数のプロセッサは、第１の群および第２の群からなる２つの群から構成されており、上記第１の群は、上記第２の群が設置されている上記基板の面とは反対の面上に設置されていてもよい。
【００９５】
上記の構成によれば、複数のプロセッサは、互いに、基板を介して隔離されているため、各プロセッサが発生する熱によって互いに熱を与えてしまうことを防ぐことができ、プロセッサの温度の上昇を抑制することができる。
【００９６】
本発明の態様１１に係るプロセッサ制御方法は、プロセッサを制御するプロセッサ制御装置によるプロセッサ制御方法であって、上記プロセッサの周囲の環境を示す参照情報を取得する取得工程と、上記プロセッサを、上記プロセッサに特定の処理を実行させ、当該特定の処理以外の処理を実行させない第１の処理モード、および、上記プロセッサに特定の処理と当該特定の処理以外の処理とを実行させる第２の処理モードの何れのモードで動作させるのかを、上記参照情報を参照して決定する処理モード決定工程と、を含む。
【００９７】
上記の構成によれば、上記態様１に係るプロセッサ制御装置と同様の効果を奏する。
【００９８】
本発明の各態様に係るプロセッサ制御装置は、コンピュータによって実現してもよく、この場合には、コンピュータを上記プロセッサ制御装置が備える各部（ソフトウェア要素）として動作させることにより上記プロセッサ制御装置をコンピュータにて実現させるプロセッサ制御装置の制御プログラム、およびそれを記録したコンピュータ読み取り可能な記録媒体も、本発明の範疇に入る。
【００９９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１００】
１、３０、４０、５０  監視カメラシステム
２、３１、４１、５１  監視カメラ
３  無線ＬＡＮアクセスポイント
４  サーバー
５  画像記録装置
６  撮影部
７  第１ＣＰＵ
８  第２ＣＰＵ
９、１０、５９  メモリ
１１、１２、５８  電源部
１３、１４、５７  無線部
１５、３２、４２  プロセッサ制御装置
１６  時刻測定部
１７  制御部
１８  取得部
１９  決定部
２０  切替部
２１  基板
３３  環境音測定部
４３  明るさ測定部
５２  マルチコアＣＰＵ
５３〜５６  コア
【図１】
2018085648.tif 000003
【図２】
2018085648.tif 000004
【図３】
2018085648.tif 000005
【図４】
2018085648.tif 000006
【図５】
2018085648.tif 000007
【図６】
2018085648.tif 000008
【図７】
2018085648.tif 000009
【図８】
2018085648.tif 000010
【図９】
2018085648.tif 000011